(57)【要約】【課題】従来の簡易な打撃練習用具ではできなかった、動く球を打つ練習や打撃コーチの指導を反映しやすい簡易な打撃練習用具の提供を目的とするものである。【解決手段】本発明の打撃練習用具は、球載せ部にボールを載せた状態で、打撃コーチが速度やコース、高さなどを操作桿で操作しながら、打撃練習者に打たせて指導するための用具である。上端部に球載せ部を設けた直立桿の下端部に、操作桿の先端部を着脱可能に固着する。また、その操作桿の先端部付近に弾性部材を取り付ける。【選択図】  図２
2005224409.tif 000002
【特許請求の範囲】
【請求項１】
上端部に球載せ部（１）を設けた直立桿（２）の下端部に、操作桿（３）の先端部が着脱可能に固着されたことを特徴とする打撃練習用具。
【請求項２】
操作桿（３）の先端部付近に弾性部材（４）を取り付けたことを特徴とする請求項１記載の打撃練習用具。
【発明の詳細な説明】
【技術分野】
【０００１】
本発明は、野球の打撃練習に供するための簡易な用具に関するものである。 
【背景技術】
【０００２】
野球の打撃練習の簡易な用具に関する従来技術として、支え柱の一部に空気圧力室を設けた「打撃練習機」がある（例えば、特許文献１参照）。
また、従来の打撃練習に関する簡易な用具としては、上端部に球載せ部を設けた直立桿とその直立桿を立てる固定用ベースから成る打撃練習用具がある。
上記した従来の簡易な打撃練習用具では、静止球を打つ練習しかできないという欠点があり、また、打撃コーチなどの指導を反映しにくいという欠点があった。
【特許文献１】特開平８−１０３６８号公報（請求項１〜２、図１〜２）
【発明の開示】
【発明が解決しようとする課題】
【０００３】
従来の簡易な打撃練習用具ではできなかった、動く球を打つ練習や打撃コーチの指導を反映しやすい簡易な打撃練習用具の提供を目的とするものである。
【課題を解決するための手段】
【０００４】
上記課題を解決するため、本発明の打撃練習用具は、上端部に球載せ部を設けた直立桿の下端部に、操作桿の先端部を着脱可能に固着する。
【０００５】
また、上記打撃練習用具において、操作桿の先端部付近に弾性部材を取り付ける。
【発明の効果】
【０００６】
本発明の打撃練習用具は、球載せ部にボールを載せた状態で、打撃コーチが速度やコース、高さなどを操作桿で操作しながら、打撃練習者に打たせて指導するための用具である。従って、打撃練習者は、速度やコース高さなどが変化する、動くボールを打つ練習ができる。
従来のコーチが投げるボールを打つ練習では、ボールが横から飛んでくるので実戦的な飛球コースによる打撃練習ができなかったが、本発明の打撃練習用具では、実際の飛球コースに沿ってボールを近づけることができるので、実戦的な飛球コースによる打撃練習が可能となる。
また、球載せ部を設けているので、打撃コーチがボールを落とすことなく安定的に操作することができる。
また、打撃コーチが、速度やコース、高さなどを任意に変えながら指導できるので、打撃コーチの指導を反映しやすい。
特に、インコースに食い込むボールやアウトコースに逃げるボールを打つための練習を効率的にできるというメリットがある。
こうした変化球を打つ練習をすることにより、打撃練習者の動体視力の向上を図ることができるという効果が生じる。
また、打撃練習者と打撃コーチが一体となって練習するので、打撃練習者の弱点を克服するための練習を重点的に行えると共に、打撃練習者の動きを打撃コーチがチェックしながらの指導ができる。
また、ボールの移動速度は実際よりかなり遅いものであるが、変化の度合いを実際より大きくすることが自在にできるので効果的な打撃練習が可能となる。
本発明の打撃練習用具には、直立桿を設けているので、操作桿を直接叩くことがなくなり、打撃時の衝撃を緩和することができると共に、操作桿がボールを見つめる打撃練習者の目障りにならないので好都合である。
また、望ましい実施形態として、直立桿を合成ゴムで作った場合には、耐衝撃性、耐破損性に優れた打撃練習用具が得られる。さらに、合成ゴムで作られた直立桿の一部を蛇腹状に形成することにより、緩衝効果やデザイン性が高められる。
また、本発明の打撃練習用具は、直立桿と操作桿が着脱可能に固着されているので、必要に応じて着脱してコンパクトに収納することができる。
また、請求項２のように操作桿の先端部付近に弾性部材を取り付けた場合、直立桿を通じて伝わる操作桿への衝撃や揺動を吸収し減衰することができる。
また、上下左右に撓むコイルスプリングのような弾性部材を用いた場合、打撃時の直立桿のねじれ運動などの複雑な揺動を吸収し減衰することができる。
【発明を実施するための最良の形態】
【０００７】
本発明の請求項１による打撃練習用具は、上端部に球載せ部を設けた直立桿の下端部に、操作桿の先端部が着脱可能に固着されたものである。
球載せ部は、ボールを載せる部分であって、ボールを安定して載せることができるよう、直立桿の径よりも大きく設計することが望ましい。また、中心部が最も深くなるような窪みを形成するように設計することが望ましい。従って、望ましい球載せ部の形状は、ゴルフで使用されるティーの球載せ部の形状に似せる。
また、球載せ部には、打撃時の球離れをよくするため、上端部の複数箇所に突起部を設けることが望ましい。
直立桿は、球載せ部に載せたボールを打つ時、バットが操作桿に接触しないように設けられるものであり、また、球載せ部に載せたボールを落下させないよう垂直方向に直立させて使用する桿でもある。このような構成にする事によって、打撃練習者が操作桿を直接叩くことがなくなり、打撃時の衝撃を緩和することができると共に、操作桿がボールを見つめる打撃練習者の目障りにならなくなるので好都合となる。
しかしながら、直立桿にバットが触れることは避けがたく、直立桿の素材には、耐衝撃性、耐破損性に優れた素材、例えば、合成ゴムなどを用いることが望ましい。勿論、合成樹脂や金属、その他の素材を除外するものではない。
直立桿の下端部には、操作桿の先端部を着脱可能に固着するための手段、例えば、軸連結するための穴を設ける、などの手段を講じると共に、固着力を補強するための補強金物を用いる方法などが選択できる。
操作桿は、球載せ部に載せたボールの速度やコース、高さなどを打撃コーチが操作し、打撃練習者の前にボールを差し出すための桿である。
操作桿は、金属製品や合成樹脂製品、グラスファイバー、カーボンファイバー、及び、
それらの加工品などを用いることができる。またそれらを、中空のパイプ状、中実の丸棒状、板状などに加工することができる。
これらの操作桿は、ストレートな形状のほか先端部を略Ｌ字形に曲げた形状も選択することができる。
操作桿の先端部には、直立桿の下端部に着脱可能に固着するための手段、例えば、軸連結するための穴を設ける、などの手段が講じられる。
従って、直立桿の下端部と操作桿の先端部は、軸連結するための穴などが設けられ着脱可能に固着される。
上記のような構成にすることにより、必要に応じて着脱してコンパクトに収納することができるというメリットが生じる。
直立桿と操作桿を着脱可能に固着するための固着方法としては、例えば、ボルトとナットで締め付けて固着し、必要に応じて緩めて着脱する方法を用いることができる。
操作桿の後端部には、緩衝効果や防滑効果のためのグリップを設けることが望ましい。
【０００８】
本発明の請求項２による打撃練習用具は、上記した打撃練習用具において、操作桿の先端部付近に弾性部材を取り付けるものである。
弾性部材としては、上下左右に撓むことができる弾性部材、例えばコイルスプリングのような弾性部材を用いることが望ましい。
操作桿の先端部付近に弾性部材を取り付ける方法としては、溶接による方法や圧着や圧入による方法などを選択することができる。
【実施例１】
【０００９】
以下図面に基づいて実施例１を説明する。
図１は、請求項１による打撃練習用具の斜視図である。
打撃練習用具Ａは、上端部に球載せ部１を設けた直立桿２の下端部に、操作桿３の先端部が着脱可能に固着されている。
球載せ部１は、ボールを載せる部分であって、ボールを安定して載せることができるよう、直下の直立桿２の径よりも大きく設計されている。また、中心部が最も深くなるような窪みを形成するように設計されている。従って、球載せ部１の形状は、ゴルフで使用されるティーの球載せ部の形状に似ている。
また、球載せ部１には、望ましい形態として、打撃時の球離れをよくするため、上端部の複数箇所に突起部Ｂが設けられている。
直立桿２は、球載せ部１に載せたボールを打つ時、バットが操作桿３に接触しないように設けられており、また、球載せ部１に載せたボールを落下させないよう垂直方向に直立させて使用する桿でもある。
実施例では直立桿２は、望ましい実施形態として、耐衝撃性、耐破損性に優れた素材として合成ゴムが用いられている。
また、直立桿２の下端部には、操作桿３の先端部を着脱可能に固着Ｃするためのボルト穴が貫通されている。
また、実施例での直立桿２の形状は、望ましい実施形態として、緩衝効果を高める目的とデザイン性とを考慮して蛇腹状に形成されている。合成ゴムで形成された直立桿２が撓む時、蛇腹状のくびれ部に衝撃が吸収されるよう設計されているものである。
操作桿３は金属パイプで形成され、先端部分は略Ｌ字形に形成されたうえボルトを通すための穴が設けられている。
実施例では、直立桿２の下端部のボルト穴と操作桿３の先端部分に設けられたボルト穴を重合させ、ボルトとナットで軸連結して着脱可能に固着Ｃしている。
また、操作桿３の後端部には、緩衝効果や防滑効果のためのグリップＤが設けられている。
【実施例２】
【００１０】
以下図面に基づいて実施例２を説明する。
図２は、請求項２による打撃練習用具の斜視図である。
打撃練習用具Ａは、上端部に球載せ部１を設けた直立桿２の下端部に、先端部付近に弾性部材４を取り付けた操作桿３の先端部が着脱可能に固着Ｃされている。
直立桿２は、請求項１によるものと同様に形成されている。
操作桿３は、金属パイプで作られ先端部が略Ｌ字形に形成されている。
先端部付近に弾性部材４としてのコイルスプリングが溶接により取り付けられている。
操作桿３の先端部には、軸連結するためのボルト穴が貫通されている。
実施例では、直立桿２の下端部のボルト穴と操作桿３の先端部分に設けられたボルト穴を重合させ、ボルトとナットで軸連結して着脱可能に固着Ｃしている。
また、操作桿３の後端部には、緩衝効果や防滑効果のためのグリップＤが設けられている。
【図面の簡単な説明】
【００１１】
【図１】請求項１による打撃練習用具の斜視図である。
【図２】請求項２による打撃練習用具の斜視図である。
【符号の説明】
【００１２】
１  球載せ部
２  直立桿
３  操作桿
４  弾性部材
Ａ  打撃練習用具
Ｂ  突起部
Ｃ  着脱可能な固着部
Ｄ  グリップ
【図１】
2005224409.tif 000003
【図２】
2005224409.tif 000004